(57)【要約】【課題】トレンド情報を把握し易くことが可能な検索情報表示システム及び方法を提供する。【解決手段】本発明は、多数のユーザがキーワード検索で入力した検索キーワードを収集し、検索キーワード別の使用回数を任意の期間において集計し、検索キーワード群を複数のグループに分類し、複数のグループに分類された検索キーワードに２次元座標値を付与し、マップデータを生成し、マップデータを格納し、クライアント端末からの要求により、マップデータ格納手段からマップデータを読み出して送信する。【選択図】      図２
2004240887.tif 000002
【特許請求の範囲】
【請求項１】
ユーザが使用する複数のクライアント端末と、該クライアント端末に対してアクセス状況情報を提供するアクセス情報提供サーバとからなり、キーワード検索によって入力された検索キーワードの使用回数を視覚化する検索情報表示システムであって、
前記アクセス情報提供サーバは、
多数のユーザがキーワード検索で入力した検索キーワードを収集し、記憶手段に格納するキーワード収集手段と、
前記検索キーワード別の使用回数を任意の期間において集計し、記憶手段に格納するアクセス情報集計手段と、
検索キーワード群を複数のグループに分類するグループ分類手段と、
複数のグループに分類された検索キーワードに２次元座標値を付与し、マップデータを生成するマップデータ生成手段と、
前記マップデータを格納するマップデータ格納手段と、
前記クライアント端末からの要求により、前記マップデータ格納手段から前記マップデータを読み出して送信するマップデータ提供手段と、を有し、
前記クライアント端末は、
前記アクセス情報提供サーバから取得したマップデータを表示する表示手段を有することを特徴とする検索情報表示システム。
【請求項２】
ユーザが使用する複数のクライアント端末と、該クライアント端末に対してアクセス状況情報を提供するアクセス情報提供サーバとからなり、キーワード検索によって入力された検索キーワードの使用回数を視覚化する検索情報表示システムであって、
前記アクセス情報提供サーバは、
多数のユーザがキーワード検索で入力した検索キーワードを収集し、記憶手段に格納するキーワード収集手段と、
検索キーワード別の使用回数を任意の期間において集計し、記憶手段に格納するアクセス情報集計手段と、
検索キーワードを分類するためのカテゴリ体系を予め蓄積しておくカテゴリ体系記憶手段と、
前記カテゴリ体系記憶手段の前記カテゴリ体系を参照して、前記検索キーワードを特定のカテゴリに分類するカテゴリ分類手段と、
前記カテゴリに分類された検索キーワード及び、カテゴリを表すカテゴリ名に２次元座標値を付与し、マップデータを生成するマップデータ生成手段と、
前記マップデータ生成手段で生成された前記マップデータを格納するマップデータ格納手段と、
前記クライアント端末からの要求により、前記マップデータ格納手段から前記マップデータを読み出して、前記クライアント端末に送信するマップデータ送信手段と、を有し、
前記クライアント端末は、
前記アクセス情報提供サーバから取得したマップデータを表示する表示手段を有することを特徴とする検索情報表示システム。
【請求項３】
前記カテゴリ体系が階層構造を有する請求項２記載の情報検索表示システム。
【請求項４】
任意の期間における検索キーワードの使用回数の集計結果に基づいて、該検索キーワードの文字の大きさや、色、フォントを含む文字属性で識別表示を行う手段を更に有する請求項１または、２記載の検索情報表示システム。
【請求項５】
ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示方法において、
前記アクセス情報提供サーバにおいて、
前記クライアント端末から多数のユーザがキーワード検索で入力した検索キーワードを収集し、記憶手段に格納し、
前記検索キーワード別の使用回数を任意の期間において集計し、記憶手段に格納し、
検索キーワード群を複数のグループに分類し、
複数のグループに分類された検索キーワードに２次元座標値を付与し、マップデータを生成し、該マップデータをマップデータ格納手段に格納し、
前記クライアント端末からの要求により、前記マップデータ格納手段から前記マップデータを読み出して該クライアント端末に送信し、
前記クライアント端末において、
前記アクセス情報提供サーバから取得したマップデータを表示することを特徴とする検索情報表示方法。
【請求項６】
ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示方法において、
前記アクセス情報提供サーバにおいて、
多数のユーザがキーワード検索で入力した検索キーワードを収集し、格納し、
検索キーワード別の使用回数を任意の期間において集計し、格納し、
検索キーワードを分類するためのカテゴリ体系を予め蓄積しておくカテゴリ体系記憶手段の該カテゴリ体系を参照して、前記検索キーワードを特定のカテゴリに分類し、
前記カテゴリに分類された検索キーワード及び、カテゴリを表すカテゴリ名に２次元座標値を付与し、マップデータを生成して、該マップデータをマップデータ格納手段に格納し、
前記クライアント端末からの要求により前記マップデータ格納手段から前記マップデータを読み出して、該クライアント端末に送信し、
前記クライアント端末において、
前記アクセス情報提供サーバから取得したマップデータを表示することを特徴とする検索情報表示方法。
【請求項７】
前記カテゴリ体系が階層構造を有する請求項６記載の情報検索表示方法。
【請求項８】
任意の期間における検索キーワードの使用回数の集計結果に基づいて、該検索キーワードの文字の大きさや、色、フォントを含む文字属性で識別表示を行う請求項５または、６記載の検索情報表示方法。
【請求項９】
ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示プログラムであって、
前記クライアント端末から多数のユーザがキーワード検索で入力した検索キーワードを収集し、記憶手段に格納するステップと、
前記検索キーワード別の使用回数を任意の期間において集計し、記憶手段に格納するステップと、
検索キーワード群を複数のグループに分類するステップと、
複数のグループに分類された検索キーワードに２次元座標値を付与し、マップデータを生成し、該マップデータをマップデータ格納手段に格納するステップと、
前記クライアント端末からの要求により、前記マップデータ格納手段から前記マップデータを読み出して該クライアント端末に送信するステップと、からなることを特徴とする検索情報表示プログラム。
【請求項１０】
ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示プログラムであって、
多数のユーザがキーワード検索で入力した検索キーワードを収集し、記憶手段に格納するステップと、
検索キーワード別の使用回数を任意の期間において集計し、記憶手段に格納するステップと、
検索キーワードを分類するためのカテゴリ体系を予め蓄積しておくカテゴリ体系記憶手段の該カテゴリ体系を参照して、前記検索キーワードを特定のカテゴリに分類するステップと、
前記カテゴリに分類された検索キーワード及び、カテゴリを表すカテゴリ名に２次元座標値を付与し、マップデータを生成して、該マップデータをマップデータ格納手段に格納するステップと、
前記クライアント端末からの要求により前記マップデータ格納手段から前記マップデータを読み出して、該クライアント端末に送信するステップと、からなることを特徴とする検索情報表示プログラム。
【請求項１１】
前記カテゴリ体系が階層構造を有する請求項１０記載の情報検索表示プログラム。
【請求項１２】
任意の期間における検索キーワードの使用回数の集計結果に基づいて、該検索キーワードの文字の大きさや、色、フォントを含む文字属性で識別表示を行う請求項９または、１０記載の検索情報表示プログラム。
【発明の詳細な説明】
【０００１】
【発明の属する技術分野】
本発明は、検索情報表示システム及び検索キーワード情報表示方法及び検索キーワード情報表示プログラムに係り、特に、音楽や映画、ニュース記事、Ｗｅｂ文書といったマルチメディアコンテンツ（以降、コンテンツと記す）をインターネット等のネットワークを介し、一般ユーザへ配信する配信サービスや、各種のホームページを照会するポータルサービスなどに設置し、これらのサービスを利用しているユーザに、キーワード検索によって入力された検索キーワードの使用回数を視覚化するための検索情報表示システム及び検索キーワード情報表示方法及び検索キーワード情報表示プログラムに関する。
【０００２】
【従来の技術】
従来、インターネットなどのネットワーク上で公開されているコンテンツを検索する手段としてキーワード検索が利用されている。ユーザによって入力されたキーワード自体がユーザのニーズを表しているものとみなし、これをトレンドの指標として、入力された全検索キーワード毎の利用回数を１週間単位で集計し、一般のユーザへリスト形式で公開することで、現在どの事象に世の中の関心が集まっているかといったトレンド情報を提供する技術がある（例えば、非特許文献１参照。）。
【０００３】
【非特許文献１】
ｈｔｔｐ：／／ｗｗｗ．ｌｙｃｏｓ．ｃｏ．ｊｐ／５０／．
【０００４】
【発明が解決しようとする課題】
しかしながら、上記従来の技術においては、多数のユーザによって入力された検索キーワードが単純に羅列されたリスト形式で表示されているため、それぞれの検索キーワード間の関連性を把握することが難しいといった問題がある。
【０００５】
また、トレンド情報として表示する検索キーワードの数が増加するにつれ、１つの表示画面内には収まりきらなくなるため、必然的に画面を上下もしくは左右にスクロールさせる必要があり、トレンド情報として表示されている検索キーワードからユーザが興味をもった検索キーワードを探し出す負担が増加する、画面を上下もしくは左右にスクロールさせる手間がかかるといったことのため、途中でトレンド情報としての検索キーワードを探し出すことをあきらめてしまうという問題がある。
【０００６】
本発明は、上記の点に鑑みなされたもので、膨大な数の検索キーワードをそれぞれの関連性を保持したマップ上に配置することにより、一覧性を確保し、また、同時にトレンド情報の表現としてキーワードの使用回数に応じて検索キーワードの表現方法を変化させることにより、トレンド情報を把握し易くことが可能な検索情報表示システム及び検索キーワード情報表示方法及び検索キーワード情報表示プログラムを提供することを目的とする。
【０００７】
【課題を解決するための手段】
図１は、本発明の原理構成図である。
【０００８】
本発明は、ユーザが使用する複数のクライアント端末と、該クライアント端末に対してアクセス状況情報を提供するアクセス情報提供サーバとからなり、キーワード検索によって入力された検索キーワードの使用回数を視覚化する検索情報表示システムであって、
アクセス情報提供サーバ１００は、
多数のユーザがキーワード検索で入力した検索キーワードを収集し、記憶手段１０１に格納するキーワード収集手段１０７と、
検索キーワード別の使用回数を任意の期間において集計し、記憶手段１０２に格納するアクセス情報集計手段１０８と、
検索キーワード群を複数のグループに分類するグループ分類手段１１３と、
複数のグループに分類された検索キーワードに２次元座標値を付与し、マップデータを生成するマップデータ生成手段１１０と、
マップデータを格納するマップデータ格納手段１０９と、
クライアント端末２００からの要求により、マップデータ格納手段１０９からマップデータを読み出して送信するマップデータ提供手段１０３と、を有し、
クライアント端末２００は、
アクセス情報提供サーバから取得したマップデータを表示する表示手段２１０を有する。
【０００９】
本発明は、ユーザが使用する複数のクライアント端末と、該クライアント端末に対してアクセス状況情報を提供するアクセス情報提供サーバとからなり、キーワード検索によって入力された検索キーワードの使用回数を視覚化する検索情報表示システムであって、
アクセス情報提供サーバは、
多数のユーザがキーワード検索で入力した検索キーワードを収集し、記憶手段に格納するキーワード収集手段と、
検索キーワード別の使用回数を任意の期間において集計し、記憶手段に格納するアクセス情報集計手段と、
検索キーワードを分類するためのカテゴリ体系を予め蓄積しておくカテゴリ体系記憶手段と、
カテゴリ体系記憶手段のカテゴリ体系を参照して、検索キーワードを特定のカテゴリに分類するカテゴリ分類手段と、
カテゴリに分類された検索キーワード及び、カテゴリを表すカテゴリ名に２次元座標値を付与し、マップデータを生成するマップデータ生成手段と、
マップデータ生成手段で生成されたマップデータを格納するマップデータ格納手段と、
クライアント端末からの要求により、マップデータ格納手段からマップデータを読み出して、クライアント端末に送信するマップデータ送信手段と、を有し、
クライアント端末は、
アクセス情報提供サーバから取得したマップデータを表示する表示手段を有する。
【００１０】
また、本発明のカテゴリ体系は、階層構造を有する。
【００１１】
また、本発明は、任意の期間における検索キーワードの使用回数の集計結果に基づいて、該検索キーワードの文字の大きさや、色、フォントを含む文字属性で識別表示を行う手段を更に有する。
【００１２】
図２は、本発明の原理を説明するための図である。
【００１３】
本発明は、ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示方法において、
アクセス情報提供サーバにおいて、
クライアント端末から多数のユーザがキーワード検索で入力した検索キーワードを収集し、記憶手段に格納し（ステップ１）、
検索キーワード別の使用回数を任意の期間において集計し、記憶手段に格納し（ステップ２）、
検索キーワード群を複数のグループに分類し（ステップ３）、
複数のグループに分類された検索キーワードに２次元座標値を付与し（ステップ４）、マップデータを生成し、該マップデータをマップデータ格納手段に格納し（ステップ５）、
クライアント端末からの要求により、マップデータ格納手段からマップデータを読み出して該クライアント端末に送信し（ステップ６）、
クライアント端末において、
アクセス情報提供サーバから取得したマップデータを表示する。
【００１４】
本発明は、ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示方法において、
アクセス情報提供サーバにおいて、
多数のユーザがキーワード検索で入力した検索キーワードを収集し、格納し、
検索キーワード別の使用回数を任意の期間において集計し、格納し、
検索キーワードを分類するためのカテゴリ体系を予め蓄積しておくカテゴリ体系記憶手段の該カテゴリ体系を参照して、検索キーワードを特定のカテゴリに分類し、
カテゴリに分類された検索キーワード及び、カテゴリを表すカテゴリ名に２次元座標値を付与し、マップデータを生成して、該マップデータをマップデータ格納手段に格納し、
クライアント端末からの要求によりマップデータ格納手段からマップデータを読み出して、該クライアント端末に送信し、
クライアント端末において、
アクセス情報提供サーバから取得したマップデータを表示する。
【００１５】
また、本発明のカテゴリ体系は、階層構造を有する。
【００１６】
また、本発明は、任意の期間における検索キーワードの使用回数の集計結果に基づいて、該検索キーワードの文字の大きさや、色、フォントを含む文字属性で識別表示を行う。
【００１７】
本発明は、ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示プログラムであって、
クライアント端末から多数のユーザがキーワード検索で入力した検索キーワードを収集し、記憶手段に格納するステップと、
検索キーワード別の使用回数を任意の期間において集計し、記憶手段に格納するステップと、
検索キーワード群を複数のグループに分類するステップと、
複数のグループに分類された検索キーワードに２次元座標値を付与し、マップデータを生成し、該マップデータをマップデータ格納手段に格納するステップと、
クライアント端末からの要求により、マップデータ格納手段からマップデータを読み出して該クライアント端末に送信するステップと、からなる。
【００１８】
本発明は、ユーザが使用する複数のクライアント端末と、該クライアント端末に対してアクセス状況情報を提供するアクセス情報提供サーバとからなるシステムにおいて、キーワード検索によって入力された検索キーワードの使用回数を視覚化する検索情報表示プログラムであって、
多数のユーザがキーワード検索で入力した検索キーワードを収集し、記憶手段に格納するステップと、
検索キーワード別の使用回数を任意の期間において集計し、記憶手段に格納するステップと、
検索キーワードを分類するためのカテゴリ体系を予め蓄積しておくカテゴリ体系記憶手段の該カテゴリ体系を参照して、検索キーワードを特定のカテゴリに分類するステップと、
カテゴリに分類された検索キーワード及び、カテゴリを表すカテゴリ名に２次元座標値を付与し、マップデータを生成して、該マップデータをマップデータ格納手段に格納するステップと、
クライアント端末からの要求によりマップデータ格納手段からマップデータを読み出して、該クライアント端末に送信するステップと、からなる。
【００１９】
また、本発明のカテゴリ体系は、階層構造を有する。
【００２０】
また、本発明は、任意の期間における検索キーワードの使用回数の集計結果に基づいて、該検索キーワードの文字の大きさや、色、フォントを含む文字属性で識別表示を行う。
【００２１】
上記のように、本発明では、ユーザが入力した検索キーワードをトレンド情報とみなし、グループ化して、２次元マップ上に表示することにより、トレンド情報の全体像を容易に把握することが可能となる。また、２次元マップを採用することで、多数の検索キーワードを１つの表示画面内に収め、一覧性を確保し、検索の手間を軽減することが可能となる。
【００２２】
【発明の実施の形態】
以下、図面と共に本発明の一実施の形態について説明する。
【００２３】
［第１の実施の形態］
図３は、本発明の第１の実施の形態におけるシステム構成を示す。
【００２４】
同図に示すシステムは、本発明の検索情報表示支援装置であるアクセス情報提供サーバ１００、コンテンツ及び検索キーワードに対するアクセス状況を参照するためのユーザクライアント端末（以下、クライアント端末と記す）２００、コンテンツの実体を提供するコンテンツ提供サーバ３００及びインターネット網４００から構成される。
【００２５】
なお、クライアント端末２００、コンテンツ提供サーバ３００、アクセス情報提供サーバ１００は、それぞれインターネット網４００を介して接続されているが、これは、インターネット網に限定するものではなく、ＷＡＮやＬＡＮといった閉じたネットワーク網を利用してもよい。
【００２６】
アクセス情報提供サーバ１００は、入出力処理部１０５、ユーザ情報処理部１０６、検索キーワードログ情報処理部１０７、アクセス情報集計処理部１０８、マップデータ格納部１０９、マップデータ生成部１１０、及び検索エンジン部１１１から構成される。
【００２７】
入出力処理部１０５は、クライアント端末２００との通信処理を行う。
【００２８】
検索キーワードログ情報処理部１０７は、クライアント端末２００からユーザによって入力または、選択された検索キーワードをログ情報として格納する。
【００２９】
ユーザ処理部１０６は、ユーザを識別するためのユーザＩＤとユーザの性別や年齢といったユーザプロファイルを格納し、ユーザ認証を行う。
【００３０】
アクセス情報集計処理部１０８は、任意の期間における検索キーワードの使用回数の集計を行う。
【００３１】
マップデータ生成部１１０は、検索キーワード群を関連付けて複数のグループに分類し、グループに分類した検索キーワード群を２次元座標値を付与することにより、マップデータの生成処理を行う。
【００３２】
マップデータ格納部１０９は、生成されたマップデータを格納しておく。
【００３３】
検索エンジン部１１１は、クライアント端末２００に提供されたアクセス情報からの検索要求に基づき検索を行う。
【００３４】
次に、上記の構成におけるマップデータ作成処理について説明する。
【００３５】
マップデータは、検索キーワードログ情報処理部１０７において、これまでに複数のクライアント端末２００上で入力または、選択された検索キーワードのログ情報の読み出しを行う。この処理が終了すると、アクセス情報集計処理部１０８において、読み出した検索キーワードログ情報の任意の期間におけるキーワード別の集計処理と検索キーワードログ情報である検索キーワードをグループ化する分類処理を行い、マップデータ生成部１１０において、２次元マップ上に各グループに検索キーワードを配置するためにマップデータを作成する。
【００３６】
ここでいうマップデータとは、検索キーワードログ情報である検索キーワードと、当該検索キーワードの２次元マップ上での座標値からなるデータのことである。なお、検索キーワードログ情報である検索キーワードの分類処理の方法は、特開平１０−３２０４１９に記載されている方法を採用するものとし、ここでの処理の詳細は省略する。
【００３７】
また、グループ化した検索キーワードログ情報の各検索キーワードを２次元マップ上に配置する方法として、例えば、次のような方法がある。
【００３８】
２次元平面上に各グループ単位でグループの中心座標をランダムに決定し、この中心点から隣接のグループと接触しないように、グループの個数分の円を描き、各円の中に各グループに属するキーワードの座標をランダムに与えることで、２次元マップ上に各検索キーワードログ情報であるキーワードを配置することができる。
【００３９】
こうして生成されたマップデータは、マップデータ格納部１０９へ格納される。
【００４０】
次に、本実施の形態において、ユーザが本システムの利用を行う際の処理について説明する。
【００４１】
図４は、本発明の第１の実施の形態におけるユーザ利用時の処理フローを示す。
【００４２】
ユーザがクライアント端末２００からクライアント端末２００の画面上に表示されているユーザ認証画面より、ユーザＩＤとパスワードを入力し、送信ボタンを押下すると、ユーザＩＤとパスワードデータがアクセス情報提供サーバ１００へ送信される（ステップ１０１）。
【００４３】
アクセス情報提供サーバ１００では、ユーザＩＤとパスワードデータを受信すると、ユーザ情報処理部１０６にてユーザの認証処理を行う（ステップ１０２、１０３）。
【００４４】
ユーザ認証が失敗すると、失敗したというメッセージデータをクライアント端末２００に送信する。クライアント端末２００は、ユーザ認証が失敗したというメッセージデータを受信すると（ステップ１０４）、当該ユーザに再度ユーザＩＤとパスワードを入力するように促す（ステップ１０５）。ここで、ユーザが再度ユーザＩＤとパスワードを入力することを拒否すると、そのまま終了となる。ユーザ認証が成功すると、マップデータ格納部１０９からマップデータを入出力処理部１０５からクライアント端末２００へ送信する（ステップ１０６）。
【００４５】
上記のステップ１０６の処理が終了すると、クライアント端末２００は、受信したマップデータを解析し、画面上に図５に示すようなマップを表示し、例えば、検索キーワードの文字サイズの大小により、使用回数の大きいものほど大きく表示し、低いものほど小さい表示するといった表現により、アクセス状況の表示を行う（ステップ１０７、１０８）。
【００４６】
この画面上で検索キーワードを選択することで（ステップ１０９）、選択された検索キーワードをはアクセス情報提供サーバ１００へ送信され（ステップ１１０）、アクセス情報提供サーバ１００の検索エンジン部１１１にてキーワード検索処理が行われる（ステップ１１１）。検索エンジン部１１１にて検索処理が行われた検索結果は、クライアント端末２００に送信され、クライアント端末２００にて受信し（ステップ１１２）、図６に示すように、検索結果を画面上に表示する（ステップ１１３）。
【００４７】
図６の例は、図５における『貴乃花』を選択した場合の検索結果を示す。
【００４８】
クライアント端末２００の画面上に表示された検索結果からユーザが視聴を希望するマルチメディアコンテンツを選択すると（ステップ１１４）、コンテンツ提供サーバ３００へ該当するマルチメディアコンテンツのデータを要求するためのメッセージを送信する。コンテンツ提供サーバ３００では、当該メッセージを受信すると（ステップ１１５）、該当するマルチメディアコンテンツデータをクライアント端末２００へ配信する（ステップ１１６）。クライアント端末２００では、当該マルチメディアコンテンツデータを受信し（ステップ１１７）、画面上でマルチメディアコンテンツの表示を行う（ステップ１１８）。
【００４９】
上記のように、本実施の形態では、ユーザが入力した検索キーワードをトレンド情報とみなし、グループ化して、２次元マップ上に表示することにより、トレンド情報の全体像を容易に把握することができるようになる。また、２次元マップを採用することで、多数の検索キーワードを１つの表示画面内に収め、一覧性を確保し、検索の手間を軽減することが可能となる。
【００５０】
［第２の実施の形態］
本実施の形態は、検索キーワードログ情報でる検索キーワードを多層構造（本実施の形態では２階層）を持つ２次元マップ上に配置する点において、前述の第１の実施の形態と異なる。
【００５１】
図７は、本発明の第２の実施の形態におけるシステム構成を示す。
【００５２】
同図に示すシステムは、図３に示すシステムのアクセス情報提供サーバ１００にカテゴリ情報格納部１１２が付加された構成である。
【００５３】
カテゴリ情報格納部１１２は、検索キーワードの属するカテゴリ情報を格納する。
【００５４】
本実施の形態では、マップデータ生成部１１０において、検索キーワード情報をトレンド情報とみなし、カテゴリ別に分類して２次元マップを生成する。
【００５５】
マップデータ生成部１１０の処理について説明する。
【００５６】
検索キーワードログ情報処理部１０７において、これまでに複数のクライアント端末２００上で入力または選択された検索キーワードのログ情報の読み出しを行う。
【００５７】
この処理が終了すると、アクセス情報集計処理部１０８において、読み出した検索キーワードログ情報の任意の期間における検索キーワード別の集計処理を行う。
【００５８】
集計処理終了後、マップデータ生成処理部１１０において、検索キーワードに対し、カテゴリ情報を付与し、カテゴリ毎にグループ化する分類処理を行う。
【００５９】
分類処理の方法としては、検索キーワードログ情報である検索キーワードすべてに対し、カテゴリ情報格納部１１２に格納されているシソーラスのような語彙の分類集を利用して分類し、カテゴリ名、サブカテゴリ名、検索キーワードログ情報である検索キーワード、検索キーワードの使用回数からなる検索キーワード分類データの生成を行う。
【００６０】
例えば、カテゴリ名が“スポーツ”、サブカテゴリ名が“大相撲”の分類があった場合、検索キーワード『貴乃花』『休場』は、カテゴリ名が“スポーツ”で、サブカテゴリ名が“大相撲”に分類され、この場合の検索キーワード分類データは、下記の（１）のとおり生成される。
【００６１】
2004240887.tif 000003
この分類処理が終了すると、同じくマップデータ生成部１１０において、トップカテゴリ層とサブカテゴリ層それぞれの２次元マップに各グループの検索キーーワードを配置するため、検索キーワードログ情報である検索キーワードと、当該検索キーワードの２次元マップ上での座標値からなるマップデータの作成を行う。
【００６２】
以下、マップデータの具体的な作成方法について述べる。
【００６３】
最初にサブカテゴリ層における検索キーワードログ情報である検索キーワードの座標を求めるため、図８に示すように、検索キーワードログ情報である検索キーワード全てに対し、他の検索キーワードログ情報である検索キーワードとの相関係数を算出し、マトリックスを作成する。ここで、相関係数の算出方法については、特開平１０−３２０４１９号公報に記載されている方法を用いるものとし、ここでの詳細な説明は省略する。
【００６４】
このマトリックスから、以下の（２）に示す通り、検索キーワードｉをベクトル表現した検索キーワードベクトルデータを作成する。
【００６５】
〈検索キーワードベクトル〉
Ｖｉ  ＝（１３２，４３２，２２３，…）
ここで、Ｖｉ  は、検索キーワードｉを表すベクトルで、ベクトルのそれぞれの要素は、各キーワードとの相関係数を表している。
【００６６】
（１）の検索キーワード分類データを利用し、同一のサブカテゴリに属する検索キーワードの検索キーワードベクトルＶｉ  に対し、主成分分析を行い、下記の（３）式に示すような第１主成分を第１軸、第２主成分を第２軸とする座標系に対する座標データ作成を行い、原点（０，０）にサブカテゴリ名のキーワードを配置する。
【００６７】
〈サブカテゴリにおける検索キーワードの２次元座標データ〉
Ｚｉｊｋ  ＝（−０．４２，０．８５）
ここで、Ｚｉｊｋ  はカテゴリｊでサブカテゴリｋに属するキーワードｉのサブカテゴリにおける座標を表しており、ベクトルの第１成分が第１軸の座標値、第２成分が第２軸の座標値を表している。
【００６８】
このようにして求めたＺｉｊｋ  の座標値をサブカテゴリ層のカテゴリの数分に均等に分割された面上に配置するように座標変換を行い、図９のサブカテゴリ層８０４を作成する。
【００６９】
次に、トップカテゴリ層における検索キーワードログ情報である検索キーワードの座標を求めるために、サブカテゴリに分類された検索キーワードログ情報である検索キーワードの中から最も使用回数が高いキーワードを各サブカテゴリの代表キーワードとして抽出する。抽出したサブカテゴリの代表キーワードの中で同一のトップカテゴリに属する代表キーワード別にそれぞれの検索キーワードベクトルＶｉ  に対し、主成分分析を行い、下記の（４）に示すような第１主成分を第１軸、第２主成分を第２軸とする座標系に対する座標データ作成を行い、原点（０，０）にトップカテゴリ名のキーワードを配置する。
〈トップカテゴリに属するサブカテゴリの代表キーワードの２次元座標データ〉
Ｚｉｊ  ＝（０．２２，−０．６５）
ここで、Ｚｉｊは、カテゴリｊを代表するキーワードｉのカテゴリ内での座標を表している。
【００７０】
このようにして求めたＺｉｊの座標値をトップカテゴリ層のカテゴリの数分に均等に分割された面上に該当するカテゴリに属するサブカテゴリの代表キーワード群を配置するように座標変換を行い、図９のトップカテゴリ層８０３を作成する。
【００７１】
以上の処理を行うことにより、カテゴリ内でのサブカテゴリ、サブカテゴリに属するキーワード同士が意味的に近いもの同士が近くに配置されるよう多層構造（本実施の形態は２階層）を保持した２次元のマップデータを生成する。
【００７２】
図１０は、本発明の第２の実施の形態におけるユーザ利用時の処理フローを示す。
【００７３】
ユーザがクライアント端末２００からクライアント端末２００の画面上に表示されているユーザ認証画面より、ユーザＩＤとパスワードを入力し、送信ボタンを押下すると、ユーザＩＤとパスワードデータがアクセス情報提供サーバ５０４へ送信される（ステップ５０１）。
【００７４】
アクセス情報提供サーバ１００では、ユーザＩＤとパスワードデータを受信すると、ユーザ情報処理部１０６にてユーザの認証処理を行う（ステップ５０２、５０３）。
【００７５】
ユーザ認証が失敗すると、失敗したというメッセージデータをクライアント端末２００へ送信する。クライアント端末２００は、ユーザ認証が失敗したというメッセージデータを受信すると（ステップ５０４）、当該ユーザに再度ユーザＩＤとパスワードを入力するよう促す（ステップ５０５）。ここで、ユーザが再度ユーザＩＤとパスワードを入力することを拒否すると、そのまま終了となる。
【００７６】
ユーザ認証が成功すると、マップデータ格納部１０９からマップデータを読み出し、入出力処理部１０５からクライアント端末２００へ送信する（ステップ５０６）。
【００７７】
ステップ５０６の処理が終了すると、クライアント端末２００は、受信したマップデータを解析し、画面上に図１１に示すようなマップを表示し、例えば、検索キーワードの文字サイズの大小により、使用回数の高いものほど大きく表示し、低いものほど小さい表示するといった表現により、アクセス状況の表示を行う（ステップ５０７、５０８）。
【００７８】
この画面上で、カテゴリ名のついたラベルを選択すると、図１２に示すように、サブカテゴリの階層のマップに飛ぶことができる。図１２においては、図１１における「スポーツ」というカテゴリを選択した結果、そのサブカテゴリである「プロ野球」「テニス」「大相撲」「サッカー」のサブカテゴリとそれらのサブカテゴリに属する検索キーワードが表示されている。また、同図中において、ユーザがマウスの先端を任意の検索キーワードに当てると、当該検索キーワードに対する使用回数がポップアップ表示される。同図の例では、『貴乃花』にマウスの先端を当てた場合を示しており、使用回数『８，７８９』を表示している。また、左上にはキーワード検索用の入力ダイアログ９０４も用意してある。
【００７９】
ユーザは、このサブカテゴリ画面、または、トップカテゴリ画面において、表示されている検索キーワードを選択または、キーワード検索用入力ダイアログ９０４に検索キーワードの入力を行うことにより（ステップ５０９）、選択もしくは入力された検索キーワードはアクセス情報提供サーバ１００へ送信され（ステップ５１０）、アクセス情報提供サーバ１００の検索エンジン部１１１にてキーワード検索処理が行われる（ステップ５１１）。
【００８０】
検索エンジン処理部１１１にて検索処理が行われた検索結果はクライアント端末２００に送信され、クライアント端末２００にて受信し（ステップ５１２）、図６に示すように検索結果を画面上に表示する（ステップ５１３）。図４の例では、図１２の『貴乃花』を選択した場合の検索結果を示している。
【００８１】
クライアント端末２００の画面上に表示された検索結果からユーザが視聴を希望するマルチメディアコンテンツを選択すると（ステップ５１４）、コンテンツ提供サーバ３００へ該当するマルチメディアコンテンツのデータを要求するためのメッセージを送信する。コンテンツ提供サーバ３００では、当該メッセージを受信すると（ステップ５１５）、該当するマルチメディアコンテンツデータをクライアント端末２００へ配信する（ステップ５１６）。
【００８２】
クライアント端末２００では、当該マルチメディアコンテンツデータを受信し（ステップ５１７）、画面上でマルチメディアコンテンツの表示を行う（ステップ５１８）。
【００８３】
上記のように、本実施の形態において、ユーザが入力した検索キーワードをトレンド情報とみなし、カテゴリ別に分類して２次元マップ上に表示することにより、全体像を容易に把握することができるようになると共に、カテゴリ情報からユーザが興味のあるカテゴリにあるトレンド情報を容易に選択することができる。また、２次元マップを採用することにより、多数の検索キーワードを１つの表示画面内に収め、一覧性を確保し、検索の手間を軽減することも可能となる。
【００８４】
なお、前述の図４及び図１０に示すアクセス情報提供サーバ２００の動作をプログラムとして構築し、当該プログラムを通信回線や記憶媒体からコンピュータにインストールして、ＣＰＵ等の制御手段により実行することも可能である。
【００８５】
また、構築されたプログラムをアクセス情報提供サーバ２００として利用されるコンピュータに接続されるハードディスク装置や、フレキシブルディスク、ＣＤ−ＲＯＭ等の可搬記憶媒体に格納しておき、本発明を実施する際にインストールするようにしてもよい。
【００８６】
なお、本発明は、上記の実施の形態に限定されることなく、特許請求の範囲内において、種々変更・応用が可能である。
【００８７】
【発明の効果】
上述のように、本発明によれば、ユーザが入力した検索キーワードをトレンド情報とみなし、グループ化して、２次元マップ上に表示することにより、トレンド情報の全体像を容易に把握することができるようになる。また、２次元マップを採用することで、多数の検索キーワードを１つの表示画面内に収め、一覧性を確保し、検索の手間を軽減することができる。
【００８８】
また、ユーザが入力した検索キーワードをトレンド情報とみなし、カテゴリ別に分類して２次元マップ上に表示することにより、全体像を容易に把握することができるようになると共に、カテゴリ情報からユーザが興味のあるカテゴリにあるトレンド情報を容易に選択することができる。また、２次元マップを採用することにより、多数の検索キーワードを１つの表示画面内に収め、一覧性を確保し、検索の手間を軽減することも可能となる。
【図面の簡単な説明】
【図１】本発明の原理構成図である。
【図２】本発明の原理を説明するための図である。
【図３】本発明の第１の実施の形態におけるシステム構成図である。
【図４】本発明の第１の実施の形態におけるユーザり利用時の処理フローである。
【図５】本発明の第１の実施の形態におけるマップイメージである。
【図６】本発明の第１の実施の形態における検索結果の例である。
【図７】本発明の第２の実施の形態におけるシステム構成図である。
【図８】本発明の第２の実施の形態における検索キーワードと相関係数のマトリックス表示である。
【図９】本発明の第２の実施の形態におけるトップカテゴリ−サブカテゴリマップイメージである。
【図１０】本発明の第２の実施の形態におけるユーザ利用時の処理フローである。
【図１１】本発明の第２の実施の形態におけるトップカテゴリでの画面例である。
【図１２】本発明の第２の実施の形態におけるサブカテゴリでの画面例である。
【符号の説明】
１０１  記憶手段
１０２  記憶手段
１０３  マップデータ提供手段
１０４  記憶手段
１０５  入出力処理部
１０７  キーワード収集手段、検索キーワードログ情報処理部
１０８  アクセス情報集計手段、アクセス情報集計処理部
１０９  マップデータ格納手段、マップデータ格納部
１１０  マップデータ生成手段、マップデータ生成部
１１１  検索エンジン部
１１２  カテゴリ情報格納部
２００  クライアント端末
２１０  表示手段
３００  コンテンツ提供サーバ
３０１  検索キーワード群
３０２  検索キーワード
４００  インターネット網
４０１  検索結果一覧
７０１  相関係数
８０１  代表検索キーワード
８０２  カテゴリキーワード
８０３  トップカテゴリ層
８０４  サブカテゴリ層
９０１  トップカテゴリ画面
９０２  カテゴリキーワード
９０３  検索キーワード
９０４  キーワード検索用ダイアログ
９０５  アクセス表示ポップアップ
【図１】
2004240887.tif 000004
【図２】
2004240887.tif 000005
【図３】
2004240887.tif 000006
【図４】
2004240887.tif 000007
【図５】
2004240887.tif 000008
【図６】
2004240887.tif 000009
【図７】
2004240887.tif 000010
【図８】
2004240887.tif 000011
【図９】
2004240887.tif 000012
【図１０】
2004240887.tif 000013
【図１１】
2004240887.tif 000014
【図１２】
2004240887.tif 000015